【事件の表示】
　平成１０年特許願第３６１０６５号「サービス領域の拡張のための光中継システム」拒絶査定に対する審判事件〔平成１１年１０月１５日出願公開、特開平１１−２８４６３９、請求項の数（７）〕について、次のとおり審決する。
【結　論】
　原査定を取り消す。
　本願の発明は、特許すべきものとする。
【理　由】
（１）手続の経緯、本願発明
　本願は、平成１０年１２月１８日の出願（パリ条約による優先権主張１９９８年１月３１日、大韓民国）であって、その請求項１〜７に係る発明は、平成１３年２月１５日付け手続補正により補正された明細書及び図面の記載からみて、その特許請求の範囲の請求項１〜請求項７に記載された次の事項により特定されるとおりのものと認める（以下、「本願発明１」〜「本願発明７」という。）。
　
「【請求項１】　無線周波信号を送受信し、受信した無線周波信号を受信光信号に変換し、前記受信光信号を送信する複数個のスレーブ光中継器と、
　送信光信号を前記複数個のスレーブ光中継器に伝送し、前記各スレーブ光中継器から受信光信号をそれぞれ受信し、前記各受信光信号を受信無線周波信号にそれぞれ変換し、前記変換したそれぞれの受信無線周波信号を前記スレーブ光中継器の個数にそれぞれ対応して結合する複数個の結合器を用いて変換し、複数個の結合された無線周波信号を送信するマスタ光中継器と、
　前記複数個のスレーブ光中継器と前記マスタ光中継器に連結され、前記複数個のスレーブ光中継器と前記マスタ光中継器との間に前記複数個の光信号を伝送する複数個の光ケーブルと、
　送信無線周波信号を送信する送信アンテナと、受信無線周波数を受信する第１受信アンテナ及び第２受信アンテナと、前記第１受信アンテナにて受信された受信無線周波信号を前記マスタ光中継器から送信される複数の無線周波信号のうち、いずれか一つと結合して第１結合受信無線周波信号を出力する第１基地局結合器と、前記第２受信アンテナにて受信された無線周波信号を前記マスタ光中継器から送信される他の無線周波信号と結合して第２結合受信無線周波信号を出力する第２基地局結合器と、前記第１結合受信無線周波信号を受信して増幅し、フィルタリングして第１受信無線周波信号を出力する第１低雑音増幅器／フィルタと、前記第２結合受信無線周波信号を増幅してフィルタリングして第２受信無線周波信号を出力する第２低雑音増幅器／フィルタとを備え、前記受信無線周波信号と前記第２受信無線周波信号を送信無線周波信号として移動交換局に伝送する基地局と、
を備える光移動通信システム。
　【請求項２】　前記マスタ光中継器は、前記複数個のスレーブ光中継器の個数に対応して前記受信光信号を受信して受信無線周波信号に変換する複数個の光／無線周波変換器を更に含む請求項１記載の光移動通信システム。
　【請求項３】　前記マスタ光中継器は、
　前記送信無線周波信号を受信して送信光信号に変換する無線周波／光変換器と、
前記送信光信号を受信して複数個の送信光信号に分け、前記複数個の光ケーブルを介して前記複数個の送信光信号を前記複数個のスレーブ光中継器に伝送する分配器と、
を更に含む請求項２記載の光移動通信システム。
　【請求項４】　前記複数個のスレーブ光中継器の各々は、
　前記送信光信号を受信して送信無線周波信号に変換する光／無線周波変換器と、
　前記光／無線周波変換器から前記送信無線周波信号を受信し増幅しフィルタリングする高電力増幅器／フィルタと、
　前記受信無線周波信号を受信し増幅しフィルタリングするスレーブ低雑音増幅器／フィルタと、
　前記スレーブ低雑音増幅器／フィルタから前記受信無線周波信号を受信して受信光信号に変換し、前記受信光信号を前記複数個の光ケーブル中の一本を介して前記マスタ光中継器に送信する無線周波／光変換器と、
を含む請求項１記載の光移動通信システム。
　【請求項５】　前記マスタ光中継器は、
　前記複数個のスレーブ光中継器の半分からの前記受信無線周波信号を結合する第１結合器と、
　前記複数個のスレーブ光中継器の残りの半分からの前記受信無線周波信号を結合する第２結合器と、
を含む請求項１記載の光移動通信システム。
　【請求項６】　前記基地局は、
　前記フィルタリングされた第１受信無線周波信号を受信して第１低帯域受信信号に変換して出力する第１下向周波変換器と、
　前記フィルタリングされた第２受信無線周波信号を受信して第２低帯域受信信号に変換して出力する第２下向周波変換器と、
　前記第１、第２低帯域受信信号を受信し、低帯域送信無線周波信号を受信し、前記低帯域受信信号を移動交換局に伝送し、低帯域送信無線周波信号を出力するＣＤＭＡチャネルと、
　前記低帯域送信無線周波信号を受信して送信無線周波信号に変換して出力する上向周波変換器と、
　前記送信無線周波信号を受信して増幅しフィルタリングして前記送信アンテナを介してフィルタリングされた送信無線周波信号を出力する高電力増幅器／フィルタと、
　前記送信無線周波信号の一部分を受信して前記マスタ光中継器に伝送するよう、前記高電力増幅器／フィルタに添わせたカプラーと、
を更に含む請求項１記載の光移動通信システム。
　【請求項７】　前記基地局は、
　第１、第２低帯域無線周波信号を移動交換局へ伝送する通信チャネルを指定するためにタイミング信号と制御信号を出力し、低帯域送信無線周波信号を受信するタイマ／制御ユニットと、
　前記ＣＤＭＡチャネルからの第１、第２低帯域受信無線周波信号を伝送されて移動交換局に連結させ、前記ＣＤＭＡチャネルにより低帯域送信信号の受信を連結させる帰路インタフェースユニットと、
を更に含む請求項６記載の光移動通信システム。」
　
（２）引用例
　これに対して、原査定の拒絶理由においては、引用例として、
　特開平２−９２４０号公報
が引用されている。
　
　（３）対比判断
　そこで、本願発明１と引用例記載の発明とを対比すると、引用例記載の発明には、基地局の構成に関し、本願発明１の、
「送信無線周波信号を送信する送信アンテナと、受信無線周波数を受信する第１受信アンテナ及び第２受信アンテナと、前記第１受信アンテナにて受信された受信無線周波信号を前記マスタ光中継器から送信される複数の無線周波信号のうち、いずれか一つと結合して第１結合受信無線周波信号を出力する第１基地局結合器と、前記第２受信アンテナにて受信された無線周波信号を前記マスタ光中継器から送信される他の無線周波信号と結合して第２結合受信無線周波信号を出力する第２基地局結合器と、前記第１結合受信無線周波信号を受信して増幅し、フィルタリングして第１受信無線周波信号を出力する第１低雑音増幅器／フィルタと、前記第２結合受信無線周波信号を増幅してフィルタリングして第２受信無線周波信号を出力する第２低雑音増幅器／フィルタとを備え、前記受信無線周波信号と前記第２受信無線周波信号を送信無線周波信号として移動交換局に伝送する」点が記載されていない。
　そして、本願発明１は、前記構成により明細書記載の効果を奏するものであるから、引用例記載の発明から当業者が容易になし得たものとすることはできない。
　
　また、本願発明２〜本願発明７は、請求項１を引用するものであり、本願発明１と同様の理由により 、引用例記載の発明から当業者が容易になし得たものとすることはできない。
　
（４）むすび
　したがって、本願発明１〜本願発明７は、引用例記載の発明に基づいて当業者が容易に発明をすることができたものではないので、特許法第２９条第２項の規定により特許を受けることができないとした原査定は妥当でない。
　また、他に本願を拒絶すべき理由を発見しない。
　
　よって、結論のとおり審決する。